(57)【要約】【課題】必要に応じて撮像装置の設定が自動で切換わるようにする。【解決手段】ライブビュー表示時、カメラの運動が検出されると、所定時間経過後にシャッタ秒時を速める処理を行う（例えば、露出モードをスポーツモードに切換える）。その後、カメラの停止が検出されると、所定時間経過後に元の状態に戻す。ただし、流し撮りと判定された場合は、シャッタ秒時を速める処理は行わない。【選択図】図６
2013141155.tif 000002
【特許請求の範囲】
【請求項１】
表示画面に被写体像を逐次更新して表示する表示手段と、
撮像装置の運動によって発生する物理量を検出し、その物理量に基づいて撮像装置が実質的に運動していない非運動状態か、実質的に運動している運動状態かを判定する判定手段と、  
前記非運動状態から前記運動状態に移行すると、撮像装置の設定を、移動する被写体の撮影に適した設定に変更する制御手段とを具備することを特徴とする撮像装置。
【請求項２】
前記物理量は、並進運動に関する加速度および回転運動に関する加速度を含むことを特徴とする請求項１に記載の撮像装置。
【請求項３】
前記移動する被写体の撮影に適した設定は、撮像装置の運動による像振れを抑制するための設定であることを特徴とする請求項２に記載の撮像装置。
【請求項４】
前記像振れを抑制するための設定は、シャッタ秒時を高速化するための設定であることを特徴とする請求項３に記載の撮像装置。
【請求項５】
前記移動する被写体の撮影に適した設定は、前記移動する被写体の臨場感を画像上で表現するための設定であることを特徴とする請求項１に記載の撮像装置。
【請求項６】
前記移動する被写体の臨場感を画像上で表現するための設定は、シャッタ秒時の高速化を制限するための設定であることを特徴とする請求項５に記載の撮像装置。
【請求項７】
前記移動する被写体の臨場感を画像上で表現するための設定は、動画撮影時に、撮像装置の運動速度が速いほど絞りを大きく開放する設定であることを特徴とする請求項５に記載の撮像装置。
【請求項８】
前記移動する被写体の撮影に適した設定は、動画モードまたは連写モードの設定であることを特徴とする請求項１に記載の撮像装置。
【請求項９】
前記制御手段は、前記移動する被写体の撮影に適した設定を変更するとともに、前記情報の表示状態を変更することを特徴とする請求項１〜８のいずれか１項に記載の撮像装置。
【請求項１０】
前記制御手段は、前記情報の表示状態変更後に前記非運動状態に移行すると、前記撮像装置の設定を変更前の設定に戻すことを特徴とする請求項９に記載の撮像装置。
【請求項１１】
撮像装置の設定を手動で変更するための操作手段を更に備え、
前記制御手段は、前記非運動状態から前記運動状態に移行すると、前記操作手段の操作の有無に拘わらず撮像装置の設定を変更することを特徴とする請求項１〜１０のいずれか１項に記載の撮像装置。
【発明の詳細な説明】
【技術分野】
【０００１】
本発明は、デジタルスチルカメラやビデオカメラ、カメラ付き携帯電話機等の撮像装置に関する。
【背景技術】
【０００２】
デジタルカメラには、ポートレートモードやスポーツモードなどの複数のシーンモードを有し、撮影すべきシーンに応じていずれかのモードを手動で設定可能なものがある（例えば、特許文献１参照）。
【先行技術文献】
【特許文献】
【０００３】
【特許文献１】特開２００６−３０３７６０号公報
【発明の概要】
【発明が解決しようとする課題】
【０００４】
ところで、上述したシーンモードや、絞り値、シャッタ秒時などの撮影パラメータの中には、撮影しようとする被写体が静止しているか動いているかで設定を変えるべきものがある。しかし、撮影者が被写体に応じて設定を変更するのは面倒であり、また静止していた被写体が急に動き出したような場合は、設定内容を手動で変更している余裕はない。
【課題を解決するための手段】
【０００５】
本発明に係る撮像装置は、表示画面に被写体像を逐次更新して表示する表示手段と、撮像装置の運動によって発生する物理量を検出し、その物理量に基づいて撮像装置が実質的に運動していない非運動状態か、実質的に運動している運動状態かを判定する判定手段と、非運動状態から前記運動状態に移行すると、撮像装置の設定を、移動する被写体の撮影に適した設定に変更する制御手段とを具備することを特徴とする。
【発明の効果】
【０００６】
本発明によれば、必要に応じて撮像装置の設定を自動で切換えることが可能となる。
【図面の簡単な説明】
【０００７】
【図１】本発明の一実施形態における撮像装置（カメラ）の制御ブロック図。
【図２】ライブビュー表示における表示画面において、カメラの運動を検出して絞り優先オートモードからシャッタ秒時優先オートモードに変更する例を示す図。
【図３】ライブビュー表示における表示画面において、カメラの運動を検出してポートレートモードからスポーツモードに変更する例を示す図。
【図４】ライブビュー表示における表示画面において、流し撮りと判定した場合にシャッタ秒時を本来の速度よりも落とす例を示す図。
【図５】撮影モード時の処理手順を示すフローチャート。
【図６】自動設定変更制御に関するフローチャート。
【図７】ライブビュー表示における表示画面において、カメラの運動を検出して静止画撮影モードから動画撮影モードに変更する例を示す図。
【図８】ライブビュー表示における表示画面において、カメラの運動を検出して単写モードから連写モードに変更する例を示す図。
【図９】ライブビュー表示における表示画面において、カメラの運動を検出してレンズの焦点距離を広角側に変更する（ズームアウトする）例を示す図。
【図１０】ライブビュー表示における表示画面において、カメラの運動を検出して撮影範囲を狭める例を示す図。
【図１１】カメラの運動を検出しても撮影範囲を狭めなかった例を示す図。
【図１２】動画撮影時の画面の一例を示し、カメラの運動を検出して絞りを開く例を示す図。
【発明を実施するための形態】
【０００８】
図面を参照して本発明の一実施形態を説明する。
カメラの制御系を示す図１において、撮影レンズ１１を透過した被写体光束は、撮像素子１２で撮像され、その撮像信号は画像処理部１３に入力される。画像処理部１３を構成する画像処理回路１３ａは、入力された撮像信号に種々の処理を施して画像データを生成する。画像データは、表示回路１３ｂによる処理を経て液晶モニタ１４に画像として表示される。液晶モニタ１４は、例えばカメラの背面に設けられる。
【０００９】
撮影モード設定時には、上記撮像が繰り返され、その都度得られる画像データに基づく画像が液晶モニタ１４に逐次更新され表示される。この逐次更新された表示は、ライブビュー表示またはスルー画表示と呼ばれ、撮影者はその表示画像を見ながら構図を決定する。
【００１０】
ライブビュー表示状態でレリーズ操作がなされると、改めて撮像が行われ、それによって生成された画像データは、コンピュータにおいても処理が可能な画像ファイルとして、記録／再生回路１３ｃによりメモリカード等の記録媒体１５に記録される。なお、本実施形態のカメラは、動画撮影も行える。
【００１１】
再生モードでは、記録媒体１５に記録された画像データ（静止画、動画）を記録／再生回路１３ｃにて読み出し、画像処理回路１３ａおよび表示回路１３ｂによる処理を経て、液晶モニタ１４に画像として表示することができる。
【００１２】
ＣＰＵ１６は、操作部１７からの入力に応答して、画像処理部１３等を制御し、先述したライブビュー表示、撮影、再生等の種々の動作を行う。操作部１７は、レリーズボタンや録画ボタン、電源ボタン、ズームボタン、モード設定ダイアル、その他の複数の操作部材を含む。モーションセンサ１８は、カメラの運動を検出するもので、加速度センサや角速度センサ等により構成される。
【００１３】
ここで、カメラには複数の露出モードが予め用意されている。露出モードは、プログラムオートモード（Ｐモード）、絞り優先オートモード（Ａモード）、シャッタ秒時優先オートモード（Ｓモード）などの基本モードの他に、撮影シーンに応じて設定可能なシーンモードを含み、例えばモード設定ダイアル等の操作によりいずれかのモードを設定できる。シーンモードには、ポートレート撮影に適したポートレートモード、風景撮影に適した風景モード、動きの激しい被写体の撮影に適したスポーツモードなどがあり、いずれかのシーンモードが設定されると、ＣＰＵ１６はそのシーンに適した露出（絞り値、シャッタ秒時、ＩＳＯ感度）を自動的に設定する。また、絞り優先オートモード、シャッタ秒時優先オートモードを設定した場合は、絞り値、シャッタ秒時をそれぞれ別の操作で設定できる。
【００１４】
上記のモードや撮影パラメータは、選択すべき内容がカメラの運動状態によって変わる。例えば、カメラを動かしながら移動被写体をライブビュー表示上に捕捉し続けているようなときは、シャッタレリーズ時に像振れが起き易いため、静止している被写体を撮影しようとするときよりもシャッタ秒時を速くすることが望ましい。
【００１５】
そこで本実施形態では、ライブビュー表示時に上記モーションセンサ１８を用いてカメラの運動状態を検出し、その結果に基づいてＣＰＵ１６がシャッタ秒時の設定を自動で変更するようにした。
【００１６】
ここでいう「カメラの運動」とは、流し撮りや、不規則に動き回る被写体（例えば子ども、動物、鳥など）をライブビュー画面内に捕らえ続けるとき等のカメラの物理的な動きを意味し、並進運動、円運動、回転運動などを含む。
【００１７】
そこで、モーションセンサ１８によるカメラの運動を検出する方法について説明する。まず、上述のような場合に、カメラが動き出したときにどの程度の加速度が発生するかを予め実験により求めてカメラに記憶しておく。記憶した範囲の加速度をモーションセンサ１８が検出すると、ＣＰＵ１６がカメラが運動を開始した（運動状態に移行した）と判断する。その後、ＣＰＵ１６は所定範囲の負の加速度が検出されるまでカメラが運動中であると判断し、負の加速度が検出されるとカメラが実質的に停止したと判断する。ここで、モーションセンサ１８は、少なくともカメラの横方向と縦方向の並進運動に関する加速度が検出可能なものが用いられる。また、モーションセンサ１８はカメラの回転運動に関する加速度を検出可能なものをさらに用いられることが望ましい。なお、手振れ等によるカメラの微小な振れをモーションセンサ１８が検出したとしても、その程度の微小な振れではカメラの実質的な運動とは判断されない。
【００１８】
図２は鳥５１の撮影例であり、（ａ）では水上でほぼ静止している鳥５１（主要被写体）をライブビュー画面に捕らえている。撮影者は、事前に絞り優先オートモード（Ａモード）で絞り値をＦ８に設定し、ＣＰＵ１６は、被写界の測光結果と絞り値Ｆ８とに基づいて、適正露出を得るためのシャッタ秒時（ここでは、１／６０秒）とＩＳＯ感度を設定している。それぞれの設定値は、ライブビュー表示内下部に表示されている。
【００１９】
図２（ｂ）は、（ａ）の状態から鳥５１が飛び立った状況を示している。撮影者は、カメラを動かして鳥５１を画面内に捕捉し続けており、ＣＰＵ１６は、モーションセンサ１８の出力からカメラの運動を検出し、シャッタ秒時を１／６０秒から１／１０００秒（ライブビュー表示内では、６０から１０００）に変更する。その後、撮影者は適当なタイミングでレリーズ操作を行う。シャッタ秒時が高速になったため、像振れを軽減できる。なお、ＣＰＵ１６は、シャッタ秒時を高速にした分だけ絞り値を開放側の値（Ｆ２）に変更しているので、適正露出が維持される。なお、当初設定していた絞り値は変更せず、代わりにＩＳＯ感度を変更することで適正露出を維持するようにしてもよい。
【００２０】
カメラの運動が検出されたときにシャッタ秒時をどの程度高速化するかは、撮影者が予め決めておいてもよいし、ＣＰＵ１６が決めてもよい。図２は撮影者が決める例として、事前にシャッタ秒時優先モード（Ｓモード）で、所望のシャッタ秒時（ここでは１／１０００秒）を設定しておく。ＣＰＵ１６は、カメラの運動を検出すると、絞り優先オートモードからシャッタ秒時優先オートモードに切換えることで、１／１０００秒を実現する（図２（ｂ））。一方、シャッタ秒時をカメラが決める場合は、そのときのレンズの焦点距離を考慮してシャッタ秒時を変更することが望ましい（焦点距離が長いほど高速とする）。また主要被写体の運動の速さ、もしくは撮影者がカメラを運動させる早さに応じて、シャッタ秒時を変更させてもよい。
【００２１】
あるいは、ＣＰＵ１６がシーンモードを切換えることでシャッタ秒時を変更してもよい。
図３は運動会での撮影例を示し、（ａ）では静止している人物５２（主要被写体）の撮影であるため、シーンモードとしてポートレートモードを予め手動で設定している。公知の顔認識技術を用いて、顔が認識されると自動でポートレートモードを設定するカメラもある。アイコン６１はポートレートモードが設定されていることを報知するためのアイコンである。
【００２２】
図３（ｂ）は、（ａ）と同じ人物５２が走っているシーンであり、撮影者はカメラを動かしながら人物５２をライブビュー画面内に捕捉し続けている。ＣＰＵ１６は、カメラの運動を検出し、ポートレートモードからスポーツモードに自動的に切換える。アイコン６２はスポーツモードが設定されていることを報知するためのアイコンである。スポーツモードは、動きの激しい被写体を撮影するときに選択すべきモードであるため、他のモードと比べてシャッタ秒時は高速（ここでは、１／２５０秒から１／１０００秒に変更）となり、像振れの抑制に寄与する。
【００２３】
しかし、流し撮りの場合は、シャッタ秒時をむやみに速くすべきではない。流し撮りは、主に水平方向に移動している主要被写体を撮影するときに用いられる撮影方法で、カメラを横方向に振りながら移動被写体を液晶モニタ１４内に捕らえ続け、適当なタイミングでレリーズ操作を行うというものである。露光時もカメラは動いているので、背景が流れるような臨場感のある描写となる。しかし、流し撮りの際に高速シャッタ秒時で撮影を行うと、背景が流れるような描写とならず、臨場感が出ない。
【００２４】
図４（ａ）は、離陸待機（静止）している航空機（主要被写体）５３をライブビュー画面に捕捉している状況である。オートモードが設定されており、シャッタ秒時は１／１０００秒に設定されている。その後、航空機５３が図示右方に離陸滑走を開始したので、撮影者は図４（ｂ）に示すように、カメラを動かして航空機５３を画面に捕捉し続ける（流し撮り）。
【００２５】
ＣＰＵ１６は、航空機５３が移動を開始したときに、公知の動体検出機能によりその移動方向を検出し、その後、その移動方向に移動する被写体を画面に捕らえる方向のカメラの運動が検出されると、流し撮りと判断する。なお、手持ちで流し撮りを行う場合はカメラは円運動し、カメラを三脚等に固定して流し撮りを行う場合は、回転運動することになる。円運動は加速度センサで、回転運動は角速度センサ等で検出できる。
【００２６】
そして、ＣＰＵ１６は、流し撮りと判断した場合は、上述したようなシャッタ秒時を速くする制御は行わず、逆にシャッタ秒時を遅くする（ここでは、１／１０００秒から１／６０秒に変更する）。なお、流し撮りと判定される前の設定シャッタ秒時が１／６０秒よりも低速であった場合は、そのシャッタ秒時を維持する。
【００２７】
カメラの運動開始が検出された後にカメラの停止が検出されると、ＣＰＵ１６は変更前の設定に戻す。すなわち、シーンモードを含む露出モードを変更した場合は元の露出モードに戻す。
【００２８】
このように本実施形態では、カメラの運動状況を検出してシャッタ秒時の設定を自動で変更するようにしたので、撮影者がいちいち手動で設定を変更する必要がなくなる。特に、静止していた被写体が急に動き出したような場合は、手動で設定を変更しているとシャッタチャンスを逃す恐れがあるが、自動で適切な設定に切換わるので、シャッタチャンスを逃す可能性が低くなる。
【００２９】
ここで、カメラの運動開始が検出されると直ちに設定を変更し、停止が検出されると直ちに設定を元に戻すようにしてもよいが、この場合は設定の変更が頻繁に行われることになる。特に、画面上に設定状況を報知するためのアイコン等を表示する場合は、その表示が頻繁に切換わるため、撮影者が見苦しく感じる恐れがある。そこで、カメラの運動が所定時間（例えば、１秒〜３秒）継続して初めて設定を変更し、またカメラの停止が所定時間継続して初めて設定を元に戻すことが望ましい。これによれば、カメラが短時間動いた場合や、動いているカメラを一旦止め、直ぐにまた動かすような場合は、設定が変更されないので、撮影者が見苦しく感じることがない。なお、上記所定時間は、予め撮影者が設定できるようにしてもよい。
【００３０】
図５および図６は上述の制御を実現するための処理手順の一例を示している。
カメラの電源がオンされるか、または撮影モードが設定されるとこのプログラムが起動され、ＣＰＵ１６は図５のステップＳ１でライブビュー表示を開始する。ステップＳ２では、カメラ設定を変更する操作がなされたか否かを判定する。カメラ設定の変更とは、上述した露出モードや他のモード、撮影パラメータの変更等を含む。ステップＳ２が肯定されるとステップＳ３に進み、撮影者の操作に応じて設定を変更してステップＳ５に進む。ステップＳ２が否定されるとステップＳ４に進み、自動設定変更制御を行ってステップＳ５に進む。
【００３１】
ステップＳ５ではレリーズ操作がなされたか否かを判定し、否定されるとステップＳ２に戻り、肯定されるとステップＳ６でライブビュー表示を停止し、ステップＳ７で撮像および画像記録を行う。その後、ステップＳ１に戻る。
【００３２】
図６はステップＳ４の自動設定変更制御の詳細を示している。ステップＳ４１では、モーションセンサ１８の出力に基づいてカメラが運動中か否かを判定する。その判定方法は上述したとおりである。カメラの運動が検出された場合はステップＳ４２に進み、運動開始後タイマが作動中か否かを判定する。この運動開始後タイマは、カメラの運動開始が検出されたときに起動され、所定時間（例えば、１〜３秒）の計時の後に停止されるものである。なお、運動開始後タイマが作動中は、後述する停止後タイマは起動されない。
【００３３】
運動開始後タイマが作動中であれば、すなわちカメラの運動開始からまだ所定時間が経過していない場合はステップＳ４３に進み、当初設定されていた露出モードの設定を維持して当該フローを終了し、図５のステップＳ５に進む。運動開始後タイマが作動していなければ、すなわちカメラの運動開始から所定時間が経過している場合はステップＳ４５に進み、設定されているシャッタ秒時が所定シャッタ秒時（ここでは、１／３２０秒）よりも速いか否かを判定する。設定されているシャッタ秒時が所定シャッタ秒時よりも遅い場合は、ステップＳ４６に進み、シャッタ秒時を高速化するための設定変更（例えば、露出モードをスポーツモードに変更、またはシャッタ秒時の高速化など）を行って、当該フローを終了し、図５のステップＳ５に進む。既にその設定となっている場合は、その設定を維持する。
【００３４】
ステップＳ４５で、予め設定されているシャッタ秒時が所定シャッタ秒時よりも速い場合はステップＳ４７に進み、シャッタ秒時を低速化するための設定変更を行って、当該フローを終了し、図５のステップＳ５に進む。なお、シャッタ秒時を変更した場合、他の露出値を変更して適正露出を維持する。なお、上記所定シャッタ秒時は、撮影者が設定できるようにしてもよい。また、ステップＳ４５にて、所定シャッタ秒時を設けず、ＣＰＵ１６が流し撮りを行っているかを判定するようにしてもよい。また、ＣＰＵ１６がカメラの運動を検出したときに、撮影者はシャッタ秒時を速くするかまたは遅くするかを設定するようにしてもよい。この場合、ＣＰＵ１６は、カメラの運動を検出すると、主要被写体の運動の速さもしくは撮影者がカメラを運動させる早さに応じて、シャッタ秒時を設定するようにしてもよい。
【００３５】
一方、ステップＳ４１でカメラが運動していないと判定された場合、つまりステップＳ４１にて否定判定された場合は、ステップＳ４４で停止後タイマが作動中か否かを判定する。この停止後タイマは、運動していたカメラの停止が検出されたときに起動され、所定時間（例えば、１〜３秒）の計時の後に停止されるものである。なお、停止後タイマ作動中は、上述した運動開始後タイマは起動されない。
【００３６】
停止後タイマが作動中であれば、すなわちカメラの停止からまだ所定時間が経過していない場合はステップＳ４８に進む。停止後タイマが作動していなければ、すなわちカメラの停止から所定時間が経過している場合、あるいは元々カメラが運動していない場合は、ステップＳ４８で変更前の露出モードやシャッタ秒時などの設定に復帰させ、あるいは元の設定を維持し、当該フローを終了し、図５のステップＳ５に進む。
【００３７】
以上では、カメラの運動状態を検出してシャッタ秒時の設定を自動で変更する例を示しが、シャッタ秒時以外の設定を変更する実施形態を以下に示す。
図７（ａ）は、静止している主要被写体５３を静止画撮影モードでライブビュー画面に捕らえている状況を示している。６３は静止画撮影モードであることを示すアイコンである。被写体５３が移動を開始し、それを画面内に捕捉し続けようとしてカメラを動かすと、ＣＰＵ１６がカメラの運動を検出し、図７（ｂ）に示すように自動的に動画撮影モードに切換える。アイコン６４は動画撮影モードであることを示すアイコンである。静止している被写体は静止画で撮影するが、移動している被写体は動画で撮影することが多い撮影者にとっては、本制御は有効である。
【００３８】
図８（ａ）は、静止している主要被写体５２を単写（１コマ撮り）モードでライブビュー画面に捕らえている状況を示している。アイコン６５は単写モードであることを示すアイコンである。その後のシーンで、移動している同一の被写体５２を画面内に捕捉し続けようとしてカメラを動かすと、ＣＰＵ１６がカメラの運動を検出し、図８（ｂ）に示すように自動的に連写モードに切換える。アイコン６６は連写モードであることを示すアイコンである。連写モードへの切換えにより、決定的瞬間をものにできる可能性が高まる。
【００３９】
ここで、高速で移動している被写体や、近距離で移動している被写体を連写するときは、カメラの運動速度を速くする必要があり、連写速度も速い方がよい。そこで、モーションセンサ１８の出力に基づいてカメラの運動速度をＣＰＵ１６が検出し、運動速度が速いほど連写速度を速くすることが考えられる。この連写速度制御は、撮影者が予め連写モードを設定していた場合の他、上述したようにＣＰＵ１６が単写モードから連写モードに自動的に変更した場合にも適用できる。
【００４０】
図９（ａ）は、静止している被写体５３を静止画撮影モードでライブビュー画面に捕らえている状況を示している。被写体５３が移動を開始し、それを画面内に捕捉し続けようとしてカメラを動かすと、ＣＰＵ１６がカメラの運動を検出し、図９（ｂ）に示すように自動的にレンズの焦点距離を広角側に変更する（ズームアウトする）。ズームアウトにより、被写体が画面からはみ出さないようにできる（被写体を追い易くなる）。なお、図では自動ズームアウトに伴ってズームバー６７を表示し、撮影者に変更後の焦点距離を報知している。このような自動ズームアウト制御は、動画撮影時や連写時に行ってもよい。
【００４１】
カメラを動かしながら被写体を画面に捕捉し続けていると、撮影したくない余計な物体が不意に画面に入り込んでくることがあり、それらの物体が不所望に撮像されないように、撮像範囲を狭める。図１０はその一例を示し、ＣＰＵ１６は、ライブビュー表示時、動画撮影時、あるいは連写時にカメラの運動を検出すると、図示のごとく画面の周囲部分（符号８１で示す網掛け部分）が非撮像範囲となるように、撮像範囲設定を変更する。これにより、主要被写体５１以外の余計な物体５４、５５が撮像されずに済む。なお、非撮像範囲とした部分は、画面上に半透明または不透明のマスク表示を行うことで撮影者に報知する。
【００４２】
なお、図１１は撮像範囲設定を変更しなかった例を示し、この場合は余計な物体５４、５５が撮像されてしまう。
【００４３】
図１２は動画撮影時の画面を示し、（ａ）では主要被写体５３が静止しており、撮影者は絞り値をＦ１６に設定している。その後、被写体５３が移動を開始し、それを画面内に捕捉し続けようとしてカメラを動かすと、ＣＰＵ１６がカメラの運動を検出し、その運動速度に応じて絞りを開く。すなわちＣＰＵ１６は、カメラの運動速度が速いほど絞り値が開放側の値となるように絞りを制御する。図１２（ｂ）では、絞り値がＦ５．６になっている。図１２（ｃ）ではカメラの運動速度が更に速くなっており、ＣＰＵ１６は絞り値をＦ２まで小さくする。このように、カメラの移動速度（主要被写体の移動速度に依存していることが多い）に応じて絞りを開くことで、移動速度に応じて背景のボケが大きくなり、より臨場感を出すことができる。
【００４４】
上記図７〜図１０、図１２の実施形態においても、カメラの停止が検出されると、変更前の設定に復帰させることが望ましく、また設定の変更／復帰の際には、最初の実施形態に示したように時間差を設けてもよい。
【符号の説明】
【００４５】
１４  液晶モニタ
１６  ＣＰＵ
１８  モーションセンサ
５１〜５３  主要被写体
【図１】
2013141155.tif 000003
【図２】
2013141155.tif 000004
【図３】
2013141155.tif 000005
【図４】
2013141155.tif 000006
【図５】
2013141155.tif 000007
【図６】
2013141155.tif 000008
【図７】
2013141155.tif 000009
【図８】
2013141155.tif 000010
【図９】
2013141155.tif 000011
【図１０】
2013141155.tif 000012
【図１１】
2013141155.tif 000013
【図１２】
2013141155.tif 000014